(57)【要約】【課題】放射性物質格納容器を簡易的に横置支持可能であり、且つ、異なるサイズ仕様を有する放射性物質格納容器に対応可能な放射性物質格納容器の横置支持装置、及び、放射性物質格納容器の横置支持方法を提供する。【解決手段】本開示は、本体胴を含む放射性物質格納容器を載置面上で横置支持するための横置支持装置に関する。本装置は、放射性物質格納容器の外表面から突出する構造物を支持可能な第１支持部と、第１支持部と分離し、横置姿勢にある本体胴に接触可能な第２支持部と、を備える。【選択図】図３
2019179012.tif 000002
【特許請求の範囲】
【請求項１】
本体胴を含む放射性物質格納容器を載置面上で横置支持するための放射性物質格納容器の横置支持装置であって、
前記載置面上に設けられ、前記放射性物質格納容器の外表面から突出する円筒形状の構造物を支持可能な第１支持部と、
前記載置面上に前記第１支持部と分離して設けられ、前記放射性物質格納容器が横置姿勢にある場合に、前記本体胴に接触可能な少なくとも１つの第２支持部と、
を備える、放射性物質格納容器の横置支持装置。
【請求項２】
前記第１支持部で支持された前記円筒形状の構造物を支点として前記放射性物質格納容器を回転可能な、請求項１に記載の放射性物質格納容器の横置支持装置。
【請求項３】
前記放射性物質格納容器は前記本体胴を外側から囲む外筒を有し、
前記少なくとも１つの第２支持部は、前記横置姿勢において、前記本体胴のうち前記外筒から外側に延在する延在部に接触するように構成される、請求項１又は２に記載の放射性物質格納容器の横置支持装置。
【請求項４】
前記少なくとも１つの第２支持部は、前記本体胴と接触可能な接触面に緩衝部材を含む、請求項１から３のいずれか一項に記載の放射性物質格納容器の横置支持装置。
【請求項５】
前記少なくとも１つの第２支持部は、前記横置姿勢にある前記放射性物質格納容器の軸方向に沿う中心軸を対称とした水平方向両側に配置された一対の第２支持部を含む、請求項１から４のいずれか一項に記載の放射性物質格納容器の横置支持装置。
【請求項６】
前記一対の第２支持部は、互いに独立的に高さ調整可能に構成される、請求項５に記載の放射性物質格納容器の横置支持装置。
【請求項７】
前記一対の第２支持部は、前記中心軸に向けてそれぞれ傾斜する接触面を有する、請求項５又は６に記載の放射性物質格納容器の横置支持装置。
【請求項８】
前記第１支持部は、前記載置面上において、前記横置姿勢にある前記放射性物質格納容器の径方向に移動可能に構成される、請求項１から７のいずれか一項に記載の放射性物質格納容器の横置支持装置。
【請求項９】
前記少なくとも１つの第２支持部は、前記載置面上において、前記横置姿勢にある前記放射性物質格納容器の軸方向に移動可能に構成される、請求項１から８のいずれか一項に記載の放射性物質格納容器の横置支持装置。
【請求項１０】
載置面上に互いに分離して設けられた第１支持部及び少なくとも１つの第２支持部を備える横置支持装置を用いて、本体胴を含む放射性物質格納容器の姿勢を横置支持するための放射性物質格納容器の横置支持方法であって、
前記放射性物質格納容器の外表面から突出する円筒形状の構造物を前記第１支持部に支持する工程と、
前記第１支持部に支持された前記円筒形状の構造物を支点として、前記本体胴が前記少なくとも１つの第２支持部に接触するまで前記放射性物質格納容器を回転させる工程と、
を備える、放射性物質格納容器の横置支持方法。
【請求項１１】
前記少なくとも１つの第２支持部は、前記中心軸を対称とした水平方向両側に配置された一対の第２支持部を含み、
前記本体胴が前記一対の第２支持部の両方若しくは一方に接触した際に前記一対第２支持部の各々と前記本体胴との間に存在する隙間を特定する工程と、
前記特定された隙間に基づいて前記一対の第２支持部の高さをそれぞれに調整する工程と、
を備える、請求項１０に記載の放射性物質格納容器の横置支持方法。
【発明の詳細な説明】
【技術分野】
【０００１】
本開示は、放射性物質格納容器を横置姿勢で支持するための放射性物質格納容器の横置支持装置、及び、放射性物質格納容器の横置支持方法に関する。
【背景技術】
【０００２】
原子炉などで取り扱われる放射性物質（例えば使用済核燃料など）を格納するための容器として、いわゆるキャスクと称される放射性物質格納容器が知られている。放射性物質格納容器は、放射性物質を外部に対して良好な遮蔽性を有するために重厚な本体胴を有する。このような放射性物質格納容器は重量物であるため、移動の際には、例えば、本体胴の外側に突出する円筒形状の構造物（例えばトラニオン）にクレーンなどの搬送装置を係合することで吊下げ搬送がなされる。
【０００３】
ところで、搬送された放射性物質格納容器を横置姿勢で載置する場合には、放射性物質格納容器を載置面上で安定的に支持するために横置支持装置が用いられることがある。例えば特許文献１には、この種の横置支持装置の一例として、円筒形状を有する放射性物質格納容器を横置姿勢で載置する際に使用される支持架台が開示されている。
【０００４】
ここで図１０は、特許文献１に開示された支持架台１００’を側方から示す模式図である。支持架台１００’は、床面に載置される基台１１０’と、基台１１０’上に設けられた４つの支持部１２０ａ−１’、１２０ａ−２’、１２０ｂ−１’、１２０ｂ−２’と、を備える。支持架台１００’によって支持される放射性物質格納容器２００’は、円筒形状の本体胴２１０’と、本体胴２１０’の外側を囲む外筒２２０’とを備えており、外筒２２０’の表面からは、本体胴２１０’に設けられた４つの円筒形状の構造物２３０ａ−１’、２３０ａ−２’、２３０ｂ−１’、２３０ｂ−２’が外側に向けて突出している。このような構成を有する放射性物質格納容器２００’は、本体胴２１０’の外表面から突出する円筒形状の構造物である各円筒形状の構造物２３０ａ−１’、２３０ａ−２’、２３０ｂ−１’、２３０ｂ−２’が、各支持部１２０ａ−１’、１２０ａ−２’、１２０ｂ−１’、１２０ｂ−２’に係合することにより、横置姿勢で支持架台１００’によって支持される。
【先行技術文献】
【特許文献】
【０００５】
【特許文献１】特開２０１５−８７３２４号公報
【発明の概要】
【発明が解決しようとする課題】
【０００６】
ここで図１１は、図１０の支持架台１００’に対して放射性物質格納容器２００’を横置姿勢で支持する手順を工程毎に示す模式図である。図１１（ａ）に示されるように、まず、放射性物質格納容器２００’を搬送元からクレーン等で直立姿勢のまま吊下げ搬送し、予め床面に設置された支持架台１００’上に移動する。そして図１１（ｂ）に示されるように、直立姿勢にある放射性物質格納容器２００’の下方側にある一対の円筒形状の構造物２３０ｂ−１’、２３０ｂ−２’を、支持架台１００’の対応する一対の支持部１２０ｂ−１’、１２０ｂ−２’に、直立姿勢を維持したまま係合させる。続いて、図１１（ｃ）に示されるように、クレーンを操作することによって、支持部１２０ｂ−１’、１２０ｂ−２’に係合された一対の円筒形状の構造物２３０ｂ−１’、２３０ｂ−２’を支点として、放射性物質格納容器２００’を回転させる。その結果、図１１（ｄ）に示されるように、残りの一対の円筒形状の構造物２３０ａ−１’、２３０ａ−２’が、対応する一対の支持部１２０ａ−１’、１２０ａ−２’に係合され、横置姿勢が完成する。
【０００７】
このように支持架台１００’に対して放射性物質格納容器２００’を横置支持する際には、放射性物質格納容器２００’に設けられた各円筒形状の構造物２３０ａ−１’、２３０ａ−２’、２３０ｂ−１’、２３０ｂ−２’が係合するために、支持架台１００’は各支持部の水平高さ及びピッチが放射性物質格納容器２００’に合わせて精度よく製作されている。また支持架台１００’を載置する場合、放射性物質格納容器２００’の重さで支持架台１００’にねじれや歪みが生じるため、支持架台全体を水平に設置する必要があり、支持架台全体を定盤等の水平面が確保された面に置くか、床面の平坦度を考慮し、支持部の下方を高さ調整治具等により調整する必要がある。
【０００８】
また図１１（ｃ）に示されるように、支持部１２０ｂ−１’、１２０ｂ−２’に係合された一対の円筒形上の構造部２３０ｂ−１’、２３０ｂ−２’を支点として、放射性物質格納容器２００’を回転させる際に、支点となる円筒形上の構造部と支持部とのずれ等が起こるため、シビアなクレーン操作が求められ、作業負担が大きい。
【０００９】
また支持架台１００’に設けられた各支持部１２０ａ−１’、１２０ａ−２’、１２０ｂ−１’、１２０ｂ−２’の位置は、支持対象となる放射性物質格納容器２００’のサイズ仕様に応じて設計されている。そのため、支持架台１００’は単一のサイズ仕様を有する放射性物質格納容器２００’にしか対応できず、異なるサイズ仕様を有する放射性物質格納容器２００’には対応できない。そのため、異なるサイズ仕様を有する放射性物質格納容器２００’に対応するためには、放射性物質格納容器２００’の種類数に対応する数の支持架台１００’を用意しなければならない。例えば、放射性物質格納容器２００’の生産ラインでは、特定の作業場で、様々なサイズ仕様を有する放射性物質格納容器２００’を横置姿勢で取り扱う場合があるが、上述の支持架台１００’では対応に限界がある。
【００１０】
本発明の少なくとも１実施形態は上述の事情に鑑みなされたものであり、放射性物質格納容器を簡易的に横置支持可能であり、且つ、異なるサイズ仕様を有する放射性物質格納容器に対応可能な放射性物質格納容器の横置支持装置、及び、放射性物質格納容器の横置支持方法を提供することを目的とする。
【課題を解決するための手段】
【００１１】
（１）本発明の少なくとも１実施形態に係る放射性物質格納容器の横置支持装置は上記課題を解決するために、
本体胴を含む放射性物質格納容器を載置面上で横置支持するための放射性物質格納容器の横置支持装置であって、
前記載置面上に設けられ、前記放射性物質格納容器の外表面から突出する円筒形状の構造物を支持可能な第１支持部と、
前記載置面上に前記第１支持部と分離して設けられ、前記放射性物質格納容器が横置姿勢にある場合に、前記本体胴に接触可能な少なくとも１つの第２支持部と、
を備える。
【００１２】
上記（１）の構成によれば、放射性物質格納容器を支持する第１支持部及び第２支持部は、載置面上で互いに分離して設けられているため、第１支持部及び第２支持部の間の相対的位置関係を調整することで、異なるサイズを有する放射性物質格納容器に対応できる。また第２支持部は本体胴に接触して放射性物質格納容器を支持するため、外表面に突出する円筒形状の構造物を支持する場合に比べて簡易的に取り扱うことができる。
【００１３】
（２）幾つかの実施形態では上記（１）の構成において、
前記第１支持部で支持された前記円筒形状の構造物を支点として前記放射性物質格納容器を回転可能である。
【００１４】
上記（２）の構成によれば、放射性物質格納容器の外表面から突出する円筒形状の構造物を第１支持部で支持しながら放射性物質格納容器を回転することで、放射性物質格納容器を安定的に横置姿勢に支持できる。
【００１５】
（３）幾つかの実施形態では上記（１）又は（２）の構成において、
前記放射性物質格納容器は前記本体胴を外側から囲む外筒を有し、
前記少なくとも１つの第２支持部は、前記横置姿勢において、前記本体胴のうち前記外筒から外側に延在する延在部に接触するように構成される。
【００１６】
上記（３）の構成によれば、本体胴の外側が外筒によって囲まれる放射性物質格納容器の場合、外筒から外側に延在する延在部が第２支持部に接触することで、本体胴が支持される。一般的に、放射性物質を格納する本体胴は十分な強度を有するため、本体胴の一部である延在部を第２支持部に接触させることで、第２支持部から受ける荷重によって放射性物質格納容器が変形することを好適に回避できる。
【００１７】
（４）幾つかの実施形態では上記（１）から（３）のいずれか１構成において、
前記少なくとも１つの第２支持部は、前記本体胴と接触可能な接触面に緩衝部材を含む。
【００１８】
上記（４）の構成によれば、第２支持部のうち本体胴と接触可能な接触面には緩衝部材が含まれる。緩衝部材は、例えば、第２支持部の高さ調整に利用可能であり、且つ、第２支持部によって支持される本体胴を傷つけない程度の硬さを有する材料を含むことが好ましい。更に好ましくは、緩衝部材は、第２支持部の支持対象である本体胴の外表面に沿う（馴染む）程度の柔軟性を有してもよい。このような要求に適合する材料として、例えば木材がある。これにより、仮に互いに分離配置された第１支持部及び第２支持部の相対的位置関係に誤差が含まれる場合であっても、これらの誤差を緩衝部材の変形によって吸収し、放射性物質格納容器を安定的に支持できる。
【００１９】
（５）幾つかの実施形態では上記（１）から（４）のいずれか１構成において、
前記少なくとも１つの第２支持部は、前記横置姿勢にある前記放射性物質格納容器の軸方向に沿う中心軸を対称とした水平方向両側に配置された一対の第２支持部を含む。
【００２０】
上記（５）の構成によれば、横置姿勢にある放射性物質格納容器を、一対の第２支持部によって、当該放射性物質格納容器を安定的に支持できる。
【００２１】
（６）幾つかの実施形態では上記（５）の１構成において、
前記一対の第２支持部は、互いに独立的に高さ調整可能に構成される。
【００２２】
上記（６）の構成によれば、一対の第２支持部の高さを独立的に変化させることで、横置姿勢にある放射性物質格納容器に対して各第２支持部がそれぞれ好適に接触するように調整できる。これにより、仮に、製作の途中段階において、円筒形状の構造物として取付け精度の裕度が大きな仮設部材を用いたことにより横置姿勢にある放射性物質格納容器の支持対象である円筒形状の構造物の取付水平高さ位置に若干のズレが発生し、両側支持部（接触面）で片当りした場合でも、安定的な支持が可能となる。
【００２３】
（７）幾つかの実施形態では上記（５）又は（６）の構成において、
前記一対の第２支持部は、前記中心軸に向けてそれぞれ傾斜する接触面を有する。
【００２４】
上記（７）の構成によれば、放射性物質格納容器が横置姿勢にある際に本体胴が接触する一対の第２支持部の各接触面は、放射性物質格納容器の中心軸に向けて傾斜するため、本体胴を安定的に支持できる。
【００２５】
（８）幾つかの実施形態では上記（１）から（７）のいずれか１構成において、
前記第１支持部は、前記載置面上において、前記横置姿勢にある前記放射性物質格納容器の径方向に移動可能に構成される。
【００２６】
上記（８）の構成によれば、第１支持部は、横置姿勢にある放射性物質格納容器の径方向に沿って移動可能に構成されるため、当該方向において異なるサイズを有する放射性物質格納容器に対応することができる。
【００２７】
（９）幾つかの実施形態では上記（１）から（８）のいずれか１構成において、
前記少なくとも１つの第２支持部は、前記載置面上において、前記横置姿勢にある前記放射性物質格納容器の軸方向に移動可能に構成される。
【００２８】
上記（９）の構成によれば、
第２支持部は、横置姿勢にある放射性物質格納容器の軸方向に沿って移動可能に構成されるため、当該方向において異なるサイズを有する放射性物質格納容器に対応することができる。
【００２９】
（１０）本発明の少なくとも１実施形態に係る放射性物質格納容器の横置支持方法は上記課題を解決するために、
載置面上に互いに分離して設けられた第１支持部及び少なくとも１つの第２支持部を備える横置支持装置を用いて、本体胴を含む放射性物質格納容器の姿勢を横置支持するための放射性物質格納容器の横置支持方法であって、
前記放射性物質格納容器の外表面から突出する円筒形状の構造物を前記第１支持部に支持する工程と、
前記第１支持部に支持された前記円筒形状の構造物を支点として、前記本体胴が前記少なくとも１つの第２支持部に接触するまで前記放射性物質格納容器を回転させる工程と、
を備える。
【００３０】
上記（１０）の方法によれば、第１支持部及び第２支持部を備える横置支持装置を用いて、放射性物質格納容器を横置支持できる。このような横置支持は、放射性物質格納容器の外表面から突出する円筒形状の構造物を第１支持部で支持しながら放射性物質格納容器を回転することで行われるため、放射性物質格納容器の安定性を確保しながら、簡易的に実施できる。また横置支持装置を構成する第１支持部及び第２支持部は、載置面上で互いに分離して設けられているため、第１支持部及び第２支持部の間の相対的位置関係を調整することで、異なるサイズを有する放射性物質格納容器にも対応できる。
【００３１】
（１１）幾つかの実施形態では上記（１０）の方法において、
前記少なくとも１つの第２支持部は、前記中心軸を対称とした水平方向両側に配置された一対の第２支持部を含み、
前記本体胴が前記一対の第２支持部の両方若しくは一方に接触した際に前記一対第２支持部の各々と前記本体胴との間に存在する隙間を特定する工程と、
前記特定された隙間に基づいて前記一対の第２支持部の高さをそれぞれに調整する工程と、
を備える。
【００３２】
上記（１１）の方法によれば、放射性物質格納容器を横置姿勢にした際に、本体胴と第２支持部との間に存在する隙間に基づいて、第２支持部の高さを調整する。これにより、第２支持部に本体胴を的確に接触させ、安定的に支持が可能となる。
尚、本態様の方法における「前記特定された隙間に基づいて前記一対の第２支持部の高さをそれぞれに調整する」とは、特定された隙間の状態に基づいて一対の第２支持部の各々を必要に応じて調整することを意味する。すなわち、特定された隙間が調整の余地を有する場合には、一対の第２支持部の両方又は一方に対して調整が行われてもよいし、特定された隙間が調整の余地を有さない（すでに適切である）場合には調整が行われなくともよい。
【発明の効果】
【００３３】
本発明の少なくとも１実施形態によれば、放射性物質格納容器を簡易的に横置支持可能であり、且つ、異なるサイズ仕様を有する放射性物質格納容器に対応可能な放射性物質格納容器の横置支持装置、及び、放射性物質格納容器の横置支持方法を提供できる。
【図面の簡単な説明】
【００３４】
【図１】図１は、本発明の少なくとも１実施形態に係る横置支持装置の支持対象である放射性物質格納容器の縦断面図である。
【図２】図１のＡ−Ａ線断面図である。
【図３】本発明の少なくとも１実施形態に係る横置支持装置を放射性物質格納容器とともに側方から示す模式図である。
【図４】図３の横置支持装置をＢ方向から示す模式図である。
【図５】図３の横置支持装置をＣ方向から示す模式図である。
【図６】図３の横置支持装置をＤ方向から示す模式図である。
【図７】本発明の放射性物質格納容器の横置支持方法を工程毎に示すフローチャートである。
【図８】図７の横置支持方法の各工程における横置支持装置及び放射性物質格納容器２００の様子を示す模式図である。
【図９】図７のステップＳ１３における横置支持装置の設置手法を工程毎に示すフローチャートである。
【図１０】特許文献１に開示された支持架台を側方から示す模式図である。
【図１１】図１０の支持架台に対して放射性物質格納容器を横置姿勢で支持する手順を工程毎に示す模式図である。
【発明を実施するための形態】
【００３５】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３６】
図１は、本発明の少なくとも１実施形態に係る横置支持装置１００の支持対象である放射性物質格納容器２００の縦断面図であり、図２は図１のＡ−Ａ線断面図である。
【００３７】
放射性物質格納容器２００は、放射性物質（例えば、使用済燃料集合体）を格納可能な本体胴２１０を有する。本体胴２１０は、上部に開口部２１２を有するとともに、下部に底部（閉塞部）２１４が形成された有底円筒形状を有する。本体胴２１０は、γ線遮蔽機能を有する炭素鋼製の鍛造品で形成されるが、ステンレス鋼を用いてもよいし、球状黒鉛鋳鉄や炭素鋼鋳鋼などの鋳造品を用いてもよい。
【００３８】
本体胴２１０の内部に設けられたキャビティ２１６には、バスケット２１８が配置されている。バスケット２１８は、図２に示されるように、板状部材を格子状に組み合わせることにより、複数の放射性物質を個々に収納するための複数のセルである放射性物質収納部２１８Ａを区画形成している。
尚、キャビティ２１６の内周面とバスケット２１８の外周との間に生じた隙間には、熱伝達が可能な中空のスペーサ（不図示）が配置されている。
【００３９】
本体胴２１０の開口部２１２は、そのフランジ面に蓋部２１９が取り付けられることにより閉塞されている。蓋部２１９は、γ線を遮蔽するステンレス鋼又は炭素鋼からなる円盤形状を有しており、その内部にはレジン（中性子遮蔽体）が封入されていてもよい。
【００４０】
蓋部２１９は、例えばステンレス鋼製又は炭素鋼製のボルト（不図示）によって本体胴２１０の上端部に着脱自在に取付けられている。この場合、蓋部２１９と本体胴２１０との間には、それぞれ不図示の金属ガスケットが介装され、内部の密封性が確保されている。
【００４１】
本体胴２１０の外周側には所定の隙間を介して外筒２２０が配設されている。本体胴２１０の外周面と外筒２２０の内周面との間には、図２に示されるように、熱伝達を行うための銅製の伝熱フィン２２２が所定間隔をおいて複数設けられている。そして本体胴２１０、外筒２２０及び伝熱フィン２２２によって区画された空間には、水素を多く含有する高分子材料であって中性子遮蔽機能を有するボロン又はボロン化合物を含有するレジン（中性子遮蔽体）２２４が流動状態で不図示のホース等を介して注入され、固化されている。
【００４２】
また本体胴２１０には、外部に向けて突出するように形成された円筒形状の構造物である４つの円筒形状の構造物２３０ａ−１、２３０ａ−２、２３０ｂ−１、２３０ｂ−２（これらを区別しない場合には、「円筒形状の構造物２３０」と総称する）が設けられている。各円筒形状の構造物２３０は、本体胴２１０の外周に固定されており、外筒２２０を貫通して外側に至るまで突出するように設けられている。各円筒形状の構造物２３０の先端は、搬送用のクレーンや後述の横置支持装置１００と係合可能な形状を有している。このような４つの円筒形状の構造物２３０のうち、２つの円筒形状の構造物２３０ａ−１、２３０ａ−２は、蓋部２１９側の相反する方向に突出する２箇所に設けられており、残り２つの円筒形状の構造物２３０ｂ−１、２３０ｂ−２は、底部２１４側の相反する方向に突出する２箇所に設けられている。
【００４３】
続いて上記構成を有する放射性物質格納容器２００を横置姿勢で支持するための横置支持装置１００について説明する。図３は本発明の少なくとも１実施形態に係る横置支持装置１００を放射性物質格納容器２００とともに側方から示す模式図であり、図４は図３の横置支持装置１００をＢ方向から示す模式図であり、図５は図３のＣ方向から示す模式図であり、図６は図３のＤ方向から示す模式図である。
【００４４】
横置支持装置１００は、載置面１０上にそれぞれ設けられた第１支持部１１０及び第２支持部１２０を備える。第１支持部１１０及び第２支持部１２０は、載置面１０上において分離して設置されている。そのため、第１支持部１１０及び第２支持部１２０の相対的位置関係は、互いに調整可能である。
【００４５】
第１支持部１１０は、載置面１０上に載置される基台１１１と、基台１１１上に立設される一対の支持部１１２ａ、１１２ｂと、を有する。基台１１１は、例えば金属材から形成されており、不図示のアンカーによって載置面１０に対して固定される。基台１１１上に立設される一対の支持部１１２ａ、１１２ｂは、放射性物質格納容器２００の外表面から突出する円筒形状の構造物２３０のうち、底部２１４側の相反する方向に突出する２箇所に設けられている円筒形状の構造物２３０ｂ−１、２３０ｂ−２に対応する位置に設けられる。
【００４６】
一対の支持部１１２ａ、１１２ｂの先端には、円筒形状の構造物２３０ｂ−１、２３０ｂ−２の先端形状に対応する半円形の受部１１３が設けられている。円筒形状の構造物２３０ｂ−１、２３０ｂ−２の先端は、一対の支持部１１２ａ、１１２ｂの先端に設けられたそれぞれの受部１１３によって回転可能に支持される。
【００４７】
尚、半円形の受部１１３は、上方側から半円形の固定部１１５をボルトなどで固定することで、当該受部１１３に支持される円筒形状の構造物２３０ｂ−１、２３０ｂ−２の脱落が防止されてもよい。
【００４８】
基台１１１上における一対の支持部１１２ａ、１１２ｂの位置関係は、放射性物質格納容器２００に設けられる一対の円筒形状の構造物２３０ｂ−１、２３０ｂ−２に対応するように設定される。本実施形態では、一対の支持部１１２ａ、１１２ｂは、基台１１１に対して、横置姿勢にある放射性物質格納容器２００の径方向（図５及び図６の矢印Ｅを参照）に沿って移動することにより、位置調整可能に構成されている。そのため、支持対象となる放射性物質格納容器２００のサイズ仕様に応じて、基台１１１上における一対の支持部１１２ａ、１１２ｂの間隔を調整することにより、異なるサイズ仕様を有する放射性物質格納容器２００に対応することができる。
【００４９】
尚、基台１１１上における一対の支持部１１２ａ、１１２ｂの移動機構は、意図しない移動が生じないように、基台１１１に対して一対の支持部１１２ａ、１１２ｂの位置をロックするためのロック機構を有してもよい。
【００５０】
また一対の支持部１１２ａ、１１２ｂの先端に設けられる受部１１３の高さ位置は、後述するように、一対の支持部１１２ａ、１１２ｂによって一対の円筒形状の構造物２３０ｂ−１、２３０ｂ−２を支持しながら放射性物質格納容器２００を回転する際に、放射性物質格納容器２００が載置面１０に干渉しないように設定される。そのため、図３乃至図５に示されるように、横置姿勢で支持される放射性物質格納容器２００の下方には、載置面１０との間に所定のスペースが確保されている。
【００５１】
第２支持部１２０は、横置姿勢の放射性物質格納容器２００の本体胴２１０に接触可能に構成される。本実施形態では、第２支持部１２０は、載置面１０から上方に向けて延在し、本体胴２１０に対して下方側から接触することで、横置姿勢の放射性物質格納容器２００を支持する。このように第２支持部１２０は、第１支持部１１０のように円筒形状の構造物２３０を支持することがないため、放射性物質格納容器２００を簡易的に支持できる。
【００５２】
また図１０及び図１１のように４つの円筒形状の構造物２３０を支持架台１００’の４つの支持部１２０’で支持する場合に比べて、第２支持部１２０では円筒形状の構造物２３０を支持することなく本体胴２１０を直接支持することから、横置支持装置１００に求められる設計精度も低く済み、設計余裕を持つことができる。その分、横置支持を行う際のクレーン操作も容易となる。
【００５３】
本実施形態では、上述したように、本体胴２１０は外側から外筒２２０によって囲まれているが、第２支持部１２０は、外筒２２０より外側に延在する延在部２５０に接触するように構成されている（図３を参照）。本体胴２１０は、放射性物質を格納するために重厚な構造を有しているため、高い強度を有する。そのため、第２支持部１２０を、強度の高い本体胴２１０に接触させることで、第２支持部１２０から受ける荷重によって放射性物質格納容器２００が変形することを好適に回避できる。
【００５４】
尚、放射性物質格納容器２００のうち本体胴２１０以外の箇所に補強加工を行い、当該箇所に第２支持部１２０を接触させてもよいが、この場合、放射性物質格納容器２００に対して補強加工コストがかかってしまうことに留意すべきである。
【００５５】
図４及び図６に示されるように、本実施形態では、第２支持部１２０は、横置姿勢にある本体胴２１０の軸方向に沿う中心軸Ｘを対称とした水平方向両側に一対配置される。これにより、円筒形状を有する放射性物質格納容器２００を安定的に支持できる。
【００５６】
これらの第２支持部１２０は、載置面１０上にアンカー等によって固定された基台１２５に対して、横置姿勢にある放射性物質格納容器２００の軸方向（図３及び図６の矢印Ｆを参照）に沿って移動可能に構成されている。これにより、支持対象となる放射性物質格納容器２００のサイズ仕様に応じて、第１支持部１１０と第２支持部１２０との間隔を調整することにより、異なるサイズ仕様を有する放射性物質格納容器２００に対応することができる。
【００５７】
尚、本実施形態では一対の第２支持部１２０が基台１２５上で一体的に移動可能に構成されている場合を例示しているが、一対の第２支持部１２０は基台１２５上で独立的に移動可能に構成されていてもよい。
【００５８】
図４に示されるように、基台１２５上に設けられた各第２支持部１２０は、横置姿勢にある放射性物質格納容器２００の本体胴２１０と接触する接触面１２３を含む緩衝部材１２２を含む。緩衝部材１２２は、例えば、第２支持部１２０の高さ調整に利用可能であり、且つ、第２支持部１２０によって支持される本体胴２１０を傷つけない程度の硬さを有する材料を含むことが好ましい。更に好ましくは、緩衝部材１２２は、第２支持部１２０の支持対象である本体胴２１０の外表面に沿う（馴染む）程度の柔軟性を有してもよい。このような要求に適合する材料として、例えば、木材が採用されている。緩衝部材１２２は、本体胴２１０から荷重を受けると変形可能であるため、仮に互いに分離している第１支持部１１０及び第２支持部１２０の相対的位置関係が、支持対象物である放射性物質格納容器２００のサイズ仕様に対して厳密に一致していない場合であっても、これらによって生じる誤差を吸収し、放射性物質格納容器２００を安定的に支持できる。
【００５９】
また一対の第２支持部１２０は、互いに独立的に高さ調整可能に構成される。これにより、仮に、製作の途中段階において、円筒形状の構造物２３０として取付け精度の裕度が大きな仮設部材を用いたことにより横置姿勢にある放射性物質格納容器２００の支持対象である円筒形状の構造物２３０の取付水平高さ位置に若干のズレが発生し、両側の支持部１１２ａ、１１２ｂ（接触面１２３）で片当りした場合でも、安定的な支持が可能となる。
【００６０】
続いて上述の横置支持装置１００を用いた放射性物質格納容器２００の横置支持方法について説明する。図７は本発明の放射性物質格納容器２００の横置支持方法を工程毎に示すフローチャートであり、図８は図７の横置支持方法の各工程における横置支持装置１００及び放射性物質格納容器２００の様子を示す模式図である。
【００６１】
まず放射性物質格納容器２００を載置する載置面１０を特定する（ステップＳ１０）。
【００６２】
続いて支持対象となる放射性物質格納容器２００のサイズ仕様を把握する（ステップＳ１１）。具体的には、放射性物質格納容器２００の中心軸Ｘに沿った軸方向サイズ及び中心軸Ｘに垂直な径方向サイズが特定される。
【００６３】
続いてステップＳ１０−Ｓ１１の実施内容に基づいて、載置面１０上に横置支持装置１００を設置する（ステップＳ１２）。具体的には、放射性物質格納容器２００のサイズ仕様に対応するレイアウトで、載置面１０上に第１支持部１１０及び第２支持部１２０を設置する。
【００６４】
ここで図９は図７のステップＳ１２における横置支持装置１００の設置手法を工程毎に示すフローチャートである。まず、放射性物質格納容器２００のサイズ仕様に基づいて、載置面１０上に第１支持部１１０及び第２支持部１２０を水平設置する（ステップＳ２０）。上述したように、第１支持部１１０は基台１１１を基準として、横置姿勢にある放射性物質格納容器２００の径方向（水平方向）に沿って一対の支持部１１２ａ、１１２ｂを移動可能に構成されている。また第２支持部１２０は、基台１２５上を基準として、横置姿勢にある放射性物質格納容器２００の軸方向に沿って移動可能に構成されている。ステップＳ２０では、このような移動機構による調整余裕を考慮して、第１支持部１１０の基台１１１及び第２支持部１２０の基台１２５を水平を計測する装置（例えば、トランシャットやレーザ水準器等）を用いて水平に設置する。
【００６５】
続いて、第１支持部１１０について、放射性物質格納容器２００の中心軸Ｘに垂直な径方向サイズに従い、一対の支持部１１２ａ、１１２ｂを移動させることで位置の調整を行う（ステップＳ２１）。これにより、一対の支持部１１２ａ、１１２ｂが、一対の円筒形状の構造物２３０ｂ−１、２３０ｂ−２に対して位置合わせされる。
【００６６】
続いて第２支持部１２０について、放射性物質格納容器２００の中心軸Ｘに沿った軸方向サイズに従い、少なくとも一つの第２支持部１２０を移動させることで位置の調整を行う（ステップＳ２２）。これにより、少なくとも一つの第２支持部１２０が、本体胴２１０のうち外筒２２０から外側に延在する延在部２５０に対して位置合わせされる。
【００６７】
このようにステップＳ１２で横置支持装置１００が載置面１０に設置されると、図８（ａ）に示されるように、放射性物質格納容器２００を吊下げ支持しながら搬送し（ステップＳ１３）、図８（ｂ）に示されるように放射性物質格納容器２００を降下させ（ステップＳ１４）、放射性物質格納容器２００の底部２１４側に設けられた一対の円筒形状の構造物２３０ｂ−１、２３０ｂ−２を、載置面１０上に設置された第１支持部１１０の一対の支持部１１２ａ、１１２ｂに係合させる（ステップＳ１５）。第１支持部１１０の一対の支持部１１２ａ、１１２ｂで支持される一対の円筒形状の構造物２３０ｂ−１、２３０ｂ−２は、必要に応じて、上方側から半円状の固定部１１５で回転可能に固定される。
【００６８】
続いて図８（ｃ）及び（ｄ）に示されるように、放射性物質格納容器２００の一対の円筒形状の構造物２３０ｂ−１、２３０ｂ−２を一対の支持部１１２ａ、１１２ｂに係合させた状態のままクレーンを操作することにより、一対の支持部１１２ａ、１１２ｂを支点として放射性物質格納容器２００を、第２支持部１２０に向けて回転させ（ステップＳ１６）、図８（ｅ）に示されるように、本体胴２１０を第２支持部１２０に接触させる（ステップＳ１７）。
【００６９】
続いて本体胴２１０と一対の第２支持部１２０との接触状態を確認することにより、第２支持部１２０の各々と本体胴２１０との間に隙間がないか判断する（ステップＳ１８）。ステップＳ１８では、このような隙間の有無の判断に加えて、本体胴２１０と一対の第２支持部１２０との接触状態を観察することにより、例えば、本体胴２１０を受ける一対の第２支持部１２０の各接触面に均等に圧力が印加されているか、などを確認してもよい。
【００７０】
そして隙間があると判断された場合（ステップＳ１８：ＮＯ）、特定された隙間に基づいて一対の第２支持部１２０の両方若しくは一方の高さを調整する（ステップＳ１９）。このような調整作業は、ステップＳ１８で特定された隙間が解消又は軽減されるように実施される。
【００７１】
ステップＳ１９における一対の第２支持部１２０に対する調整について説明すると、一対の第２支持部１２０の両方に隙間が有る場合には、隙間が無くなるように一対の第２支持部１２０の高さを変更する調整がそれぞれに実施される。また、一対の第２支持部１２０の一方だけに隙間が有る場合には、隙間が無くなるように当該一方の第２支持部１２０の高さを変更する調整が実施され、他方の第２支持部１２０に対しては調整が実施されない。
【００７２】
尚、ステップＳ１９の高さ調整において、一対の第２支持部１２０の高さ調整によって対応可能な範囲を超える場合には、緩衝部材１２２に対してシムを追加するなど、追加調整を行ってもよい。この場合、シムは緩衝部材１２２と同素材又は同程度の性能を有する材料から形成されるとよい。
【００７３】
隙間がない場合若しくは調整作業が完了すると（ステップＳ１８：ＹＥＳ）、図８（ｆ）に示されるように、一対の円筒形状の構造物２３０ａ−１、２３０ａ−２からクレーンを取り外され、横置姿勢が完成する（ＥＮＤ）。
【００７４】
以上説明したように上述の実施形態によれば、放射性物質格納容器２００を支持する第１支持部１１０及び第２支持部１２０は、載置面１０上で互いに分離して設けられているため、第１支持部１１０及び第２支持部１２０の間の相対的位置関係を調整することで、異なるサイズを有する放射性物質格納容器２００に対応できる。また第２支持部１２０は本体胴２１０に接触して放射性物質格納容器２００を支持するため、外表面に突出する円筒形状の構造物を支持する場合に比べて簡易的に取り扱うことができる。
【００７５】
このようにして放射性物質格納容器２００を簡易的に横置支持可能であり、且つ、異なるサイズ仕様を有する放射性物質格納容器２００に対応可能な放射性物質格納容器２００の横置支持装置、及び、放射性物質格納容器の横置支持方法を提供できる。
【産業上の利用可能性】
【００７６】
本発明の少なくとも一実施形態は、放射性物質格納容器を横置姿勢で支持するための放射性物質格納容器の横置支持装置、及び、放射性物質格納容器の横置支持方法に利用可能である。
【符号の説明】
【００７７】
１０  載置面
１００  横置支持装置
１１０  第１支持部
１１１，１２５  基台
１１３  受部
１１５  固定部
１２０  第２支持部
１２２  緩衝部材
１２３  接触面
２００  放射性物質格納容器
２１０  本体胴
２１２  開口部
２１４  底部
２１６  キャビティ
２１８  バスケット
２１９  蓋部
２２０  外筒
２２２  伝熱フィン
２３０  円筒形状の構造物
２５０  延在部
【図１】
2019179012.tif 000003
【図２】
2019179012.tif 000004
【図３】
2019179012.tif 000005
【図４】
2019179012.tif 000006
【図５】
2019179012.tif 000007
【図６】
2019179012.tif 000008
【図７】
2019179012.tif 000009
【図８】
2019179012.tif 000010
【図９】
2019179012.tif 000011
【図１０】
2019179012.tif 000012
【図１１】
2019179012.tif 000013